(57)【要約】【課題】自動販売機に運用する写真付証明書識別装置を提供する。【解決手段】  主に底台表面と上蓋底面間に写真付証明書を通過させる通道を形成し、該通道の開口位置には写真付証明書の前進或いは後退を導引する伝送モジュールを設置する。該伝送モジュール後方には写真付証明書の真偽を識別する写真付証明書識別モジュールを設置し、該写真付証明書識別モジュールは写真付証明書の偽造防止特徴を探知可能な第一光センサー及び写真付証明書の厚みを検証可能な第二光センサーを備える。写真付証明書識別モジュール後方には写真付証明書の文字を判読する文字識別モジュールを設置し、該文字識別モジュールは写真付証明書の文字に対して光線反射の強弱を判読可能な線性スキャナーを備え、該線性スキャナー片側には光線を該線性スキャナー下方に導引可能な光線照射器を設置し、消費者の写真付証明書上の年齢を確認する。【選択図】  図１
0003132576.tif 000002
【実用新案登録請求の範囲】
【請求項１】
自動販売機の写真付証明書識別装置に運用され、該写真付証明書識別装置内には写真付証明書識別モジュールと文字識別モジュールを設置し、
該写真付証明書識別装置は底台表面と上蓋底面の間に写真付証明書を通過させる通道を形成し、該通道の開口位置には写真付証明書の前進或いは後退を導引する伝送モジュールを設置し、
該写真付証明書識別モジュールは該伝送モジュール後方に設置し、該写真付証明書識別モジュールは写真付証明書の偽造防止特徴を探知可能な第一光センサー及び写真付証明書の厚みを検証可能な第二光センサーを備え、
該文字識別モジュールは該写真付証明書識別モジュール後方に設置し、該文字識別モジュールは写真付証明書の文字に対して光線反射の強弱を判読可能な線性スキャナーを備え、該線性スキャナー片側には光線を該線性スキャナー下方に導引可能な光線照射器を設置することを特徴とする写真付証明書識別装置。
【請求項２】
前記底台の該通道から離れた開口後側には該上蓋を開け閉めさせる対応する軸部と軸孔を設置することを特徴とする請求項１記載の写真付証明書識別装置。
【請求項３】
前記軸孔上方には断面層を連通し、該軸部両側は扁平状を呈し、しかも該軸部の扁平面は該断面槽に従い対応する軸孔内に嵌入し、さらに該軸部の円弧面により該軸孔内において転動することを特徴とする請求項２記載の写真付証明書識別装置。
【請求項４】
前記底台前側の該通道の開口両側には対応する係合槽を設置し、該上蓋前側は該係合槽位置に対応し転動移動可能な転動部を設置し、しかも該転動部表面には該係合槽と相互に嵌合する係合フックを設置することを特徴とする請求項１記載の写真付証明書識別装置。
【請求項５】
前記伝送モジュールは該底台内に回転ホイール組を設置し、及び該上蓋内には該回転ホイール組と相互に対応し、しかも写真付証明書厚みに応じて調整する接触圧ホイール組を設置することを特徴とする請求項１記載の写真付証明書識別装置。
【請求項６】
前記回転ホイール組はモーターにより正、反対方向の転動を駆動され、該回転ホイール組前方には写真付証明書の挿入を探知後、該モーターの作動を駆動する起動装置を設置することを特徴とする請求項５記載の写真付証明書識別装置。
【請求項７】
前記伝送モジュール後側には電源をオン／オフする電源モジュールを設置することを特徴とする請求項１記載の写真付証明書識別装置。
【請求項８】
前記第一光センサーは該通道の上下両側に写真付証明書の透かし、レーザータグ、バーコード、或いは写真付証明書上の他の隠れた特徴を検査測定可能な第一光発射部品及び第一光感知部品を設置することを特徴とする請求項１記載の写真付証明書識別装置。
【請求項９】
前記第一光発射部品は赤外線を発射し、写真付証明書の偽造防止特徴上に照射可能で、しかも該第一光感知部品は該光線波形を受け取り、該第一光感知部品が受け取った光線を波形データに描き、所定値と比較対照することを特徴とする請求項８記載の写真付証明書識別装置。
【請求項１０】
前記第二光センサーは該通道の片側に、赤外線を発射し写真付証明書を透過する第二光発射部品を設置し、該通道の反対側には赤外線を透過率を受け取ることができる第二光感知部品を設置することを特徴とする請求項１記載の写真付証明書識別装置。
【請求項１１】
前記文字識別モジュールの光線照射器は該線性スキャナーの片側に位置し、該光線照射器の発光部品は前端には該発光部品が発射する光線を該線性スキャナーに下方に導引する反射鏡を設置することを特徴とする請求項１記載の写真付証明書識別装置。
【請求項１２】
前記上蓋頂点面にはさらに画像識別モジュールを可動状態で組み立て、しかも該画像識別モジュールは撮影レンズと光線照射器を備えることを特徴とする請求項１記載の写真付証明書識別装置。
【請求項１３】
前記撮影レンズは該上蓋に設置する防塵蓋上方に位置し、該光線照射器は該撮影レンズの両側にそれぞれ設置することを特徴とする請求項１２記載の写真付証明書識別装置。
【請求項１４】
前記光線照射器は発光部品を備え、該発光部品前端には該撮影レンズが撮影しようとする位置に光線照射範囲を形成するレンズを設置することを特徴とする請求項１３記載の写真付証明書識別装置。
【考案の詳細な説明】
【技術分野】
【０００１】
本考案は一種の写真付証明書識別装置に関する。特に一種の自動販売機に用いる写真付証明書識別装置で、消費者が所持する写真付証明書に対して年齢を識別可能で、これにより未成年或いは児童の心理に影響を及ぼす商品が自動販売機により販売されることを防止する写真付証明書識別装置に係る。
【背景技術】
【０００２】
科学技術の発達で現代社会は人と人との距離を縮め、人々の生活ペースを速め、人類の生活はより便利によりスピーディーに向かっている。このため現代人の利便性と迅速性への重視を考慮し、多くの場に自動販売機が設置されている。自動販売機により人件費を節減可能である他、その利便性は現代人に広く受け入れられている。
スマート無人商店（Q-Shop）は科学技術の知識、サービスと支払いの迅速性という三大長所を備え、その点で現行の販売方式を超えるものである。最もよく目にする飲料販売機、タバコ販売機、乗車券販売機から、珍しいところではアイスクリーム販売機、入場券販売機、記念貨幣やキーホルダー販売機、さらにはハンバーガーやフレンチフライ販売機、ラーメン販売機まで、現在では販売される商品の種類はますます広がっており、多くのバーチャルショップを形成している。無人化経営とセルフ支払い方式は、人々に自在で便利なショッピング環境と一味違ったショッピング経験を提供する。
しかし、一般の自動販売機には販売対象の年齢制限がない。にもかかわらず、一部の自動販売機はタバコ、アルコール飲料、避妊具などの物品を販売しており、未成年や児童はこの種の自動販売機から、タバコ、アルコール飲料、避妊具、或いは対象年齢が制限されている商品などを簡単に購入することができ、成長途上にある青少年や児童に行動や考え方の偏りをもたらし、心身の健康な発育を阻害してしまう恐れがある。
これはこのタイプの自動販売機が、消費者の真実の年齢或いは身分を識別することができず、あらゆる人が購入可能となっているため、未成年或いは児童がこの種の年齢制限商品を購入することを制限することができないためである。さらに一部の自動販売機は薬品、塩素系洗剤、カミソリの刃、或いは他の危険性を備えた規制商品などの特定の物品を販売するものもある。もし、このタイプの自動販売機の安全メカニズムを管理することができなければ、犯罪者が該類商品を手に入れ、他人の生命や安全に脅威或いは傷害を与える恐れもある。
よって今、スマート無人商店の機能をより良く運用しようとするなら、自動販売機は消費者の年齢、身分を識別可能とする必要があり、これも自動販売機の将来の発展にとって重要な方向性である。
【０００３】
このため、もし消費者に対して購買の年齢制限を行う自動販売機を設計するなら、消費者の身分識別などの問題を考慮する必要がある。よってこのタイプの自動販売機は写真付証明書識別装置を設置し、これにより消費者は個人の写真付証明書（運転免許証、身分証、ICカードなど）を挿入し、該消費者の実際の年齢と身分を判読し、年齢が満１８歳であること、或いは実際の身分を確定後、初めて該特定商品或いは規制商品を販売する自動販売機を使用することができる。
しかし、商店側が警戒及び考慮しなければならない問題として、身分証の偽造がある。コンピュータテクノロジーの進歩で、コンピュータスキャナー、コピー、裁断接着、プリントなどを利用した精密な写真付証明書を運用した身分、年齢の偽造が増えている。このため、自動販売機が設置する写真付証明書識別装置は多重識別機能を備える必要がある。すなわち、いかにして写真付証明書上の異なる特徴部分（透かし、紙質、個人データなど）に対して識別を行うかは自動販売機の研究開発の重点の一つである。
【０００４】
購入者の年齢が制限される商品或いは他の規制商品の販売を制限可能な自動販売機の設計に当たっては、以下の項目に注意することが求められる。
1.自動販売機が販売する商品に、年齢及び身分の制限がある時には、効果的に消費者の真実の年齢と身分を識別し、未成年或いは児童の心理に影響を及ぼす商品（タバコ、酒などの年齢制限商品）の販売を防ぎ、或いは危険性のある規制商品を消費者に販売する時には、身分識別と追跡を行う。
2.科学技術の進歩と普及に従い、写真付証明書を作成する装置或いは設備は簡単に手に入り、さらにコンピュータスキャナー、コピー、裁断接着、プリントなどの方式を合わせて精密な偽造写真付証明書を作成、入れ替えることができるため、単一写真付証明書上の様々な偽造防止特徴を識別し、偽造写真付証明書が流通し、盗用されることを防止する。
3.写真付証明書所持人の年齢、身分を確認し、写真付証明書の真偽を識別後、その商品を購入しようとしている消費者が本当にその証明書の所持人であるかを否かを判別し、単一写真付証明書が多数の人間（青少年或いは児童を含む）に使用されるという写真付証明書の盗用を防ぐ。
4.一般の自動販売機には消費者の身分を即時に識別する機能或いは装置がないため、多数組の識別装置を自動販売機内に増設する必要を排除しながら、自動販売機に該消費者が用いる照明写真の真偽を確認し、年齢及び身分を識別することができる多用途の識別機能を達成させる。
【特許文献１】特開平５−１２０３５６号公報
【考案の開示】
【考案が解決しようとする課題】
【０００５】
本考案人は上記公知装置の欠点に鑑み、関連資料を収集し、多方面の評価と考慮を重ね、当業界における多年にわたる従事経験を基礎とし、絶えず試作及び修正を繰り返し本考案の開発に成功した。
本考案は上記構造の問題点を解決した写真付証明書識別装置を提供するものである。
【課題を解決するための手段】
【０００６】
上記課題を解決するため、本考案は下記の写真付証明書識別装置を提供する。
それは主に自動販売機内に設置する写真付証明書識別装置は消費者が所持する写真付証明書の真偽を検証し、文字識別モジュールにより消費者が所持する写真付証明書の年齢を確認し、もし自動販売機が年齢制限のある商品を販売する時には、写真付証明書所持人が法定年齢に達しているかどうかを効果的に識別可能で、タバコ、酒、或いは他の青少年或いは児童の心身の健康に害を及ぼす商品の販売を回避し、商店或いは購入者が現地の法規を犯す恐れを払拭し、
さらにそれは自動販売機が薬品或いは他の危険性を備える規制品を販売する時には、写真付証明書識別装置により該写真付証明書所持人の生年月日、氏名、身分証番号、写真付証明書番号、取引時間、或いは取引商品などの関連データを記録し、後日のファイル作成と捜査の便を図り、こうして商店或いは販売人員が該規制品を販売し他人に脅威や傷害を与えることがないよう保護し、さらに長期服用が必要な慢性疾患の薬物を特定の患者に販売することができるようにし、患者は病院に行って順番をつかなくても薬を入手可能となり、さらに、現代社会では広く設置されているモニターカメラによる撮影に、写真付証明書関連データを記録する自動販売機を組合せることで、犯罪発生時間及び残っている可能性のある手がかりを提供可能となり、これにより警察は十分な捜査網を張ることができ、犯罪率上昇を効果的に止めることができ、
またそれは写真付証明書識別装置内に設置する写真付証明書識別モジュールにより、写真付証明書上に人為的な偽造データがないかどうかを識別し、もし写真付証明書上に改ざん或いは偽造資料の接着があるなら、透かし、スチールシール、隠しバーコード、或いはレーザータグなどの特殊標記である該写真付証明書の偽造防止特徴を識別し、こうして該写真付証明書識別モジュールにより確認し、該所持人の写真付証明書取引データを記録し、犯罪者の自動販売機を通じたマネーロンダリングを杜絶し、
さらにそれは写真付証明書所持人の年齢及び写真付証明書真偽の識別を確認後、写真付証明書識別装置は内部に設置する画像識別モジュールを通して該写真付証明書上の写真を読み取り、予め設置するデータベースと比較対照し、消費者が真実の写真付証明書所持人であるかどうかを確認し、単一写真付証明書が多人数に乱用されることを防止する写真付証明書識別装置を提供する。
【考案の効果】
【０００７】
上記のように、本考案の写真付証明書識別装置はその機能と効果及び目的を確実に達成可能で、本考案は実用性に優れた考案であるため、実用新案申請の要件に符合しており、産業上の利用性、新規性、進歩性を備える。
【考案を実施するための最良の形態】
【０００８】
本考案が採用する技術手段とその構造について、以下に図を用い、最適実施例について詳細に説明する。
本考案最適実施例の立体分解図、最適実施例の立体組合せ図、最適実施例の立体外観図、及び伝送モジュールの立体外観図である図１、２、３、４に示すように、本考案写真付証明書識別装置１内には写真付証明書識別モジュール２、文字識別モジュール３、画像識別モジュール４を設置する。
該写真付証明書識別装置１は底台１１と上蓋１２により組成し、該底台１１表面と該上蓋１２底面間には写真付証明書を通過させる通道１０を形成する。
該底台１１の該通道１０から離れた開口１３後側の相対内壁面には対応する軸孔１１１を設置する。しかも該軸孔１１１上方には該軸孔１１１孔径より小さい断面槽１１２を連通し、該底台１１前側において該通道１０の開口１３両側には対応する係合槽１１３を設置する。
該上蓋１２は該底台１１上方に設置し、しかも該上蓋１２後側には該軸孔１１１と相対しかつ扁平状を呈する軸部１２１を突出し、該上蓋１２前側の該係合槽１１３に対応する位置にはめくり上げ移動させることができる転動部１２２を設置する。該転動部１１２表面には該係合槽１１３と相互に嵌合する係合フック１２３を設置し、別に該上蓋１２底面の適当な位置には透明な防塵蓋１２４を設置する。
【０００９】
該通道１０の開口１３位置の底台１１内には、写真付証明書の移動を導引可能な伝送モジュール１４を設置する。しかも該伝送モジュール１４は該底台１１内において複数の回転ホイール組１４１を設置し、該上蓋１２内には該回転ホイール組１４１と相互に対応する接触圧ホイール組１４２を設置する。
該回転ホイール組１４１はモーター１４３により正、反対方向への回転を駆動され、該回転ホイール組１４１前方には該モーター１４３を作動させる起動装置１４４を設置する。
さらに該伝送モジュール１４後側には電源モジュール１５を設置し、しかも該電源モジュール１５は該写真付証明書モジュール２、文字識別モジュール３、画像識別モジュール４の電源の開閉を行う。
【００１０】
該写真付証明書識別モジュール２は該写真付証明書識別装置１の伝送モジュール１４後方に設置する。該写真付証明書識別モジュール２は２組の光センサーを備える。
内、第一光センサー２１は写真付証明書上の透かし、レーザータグ、バーコード、或いは写真付証明書上の他の隠された特徴を検証し、第一光発射部品２１１が発する赤外線を写真付証明書の偽造防止特徴上に照射し、第一光感知部品２１２により該光線の波形を受け取る。さらに、該第一光感知部品２１２が受け取った光線が描く波形データを所定値と比較対照し、該写真付証明書の真偽を検証する。
第二光センサー２２は写真付証明書の厚みを検証可能で、第二光発射部品２２１が発射する赤外線は写真付証明書を透過し、該透過光は第二光感知部品２２２が受け取る。該赤外線の透過率により、該写真付証明書が人為的に入れ替え或いは裁断接着されていないかどうかを判読する。
【００１１】
該文字識別モジュール３は該写真付証明書識別モジュール２後方に設置し、該文字識別モジュール３は線性スキャナー３１と光線照射器３２を備える。
該光線照射器３２は該線性スキャナー３１片側に位置する発光部品３２１に設置し、しかも該発光部品３２１前端には反射鏡３２２を設置する。該発光部品３２１において光線を発射する時、該反射鏡３２２により該光線を該線性スキャナー３１下方に導引し、こうして該線性スキャナー３１は該写真付証明書上の文字に対して光線反射の強弱を判読する。
該画像識別モジュール４は該写真付証明書識別装置１の上蓋１２頂点面に可動設置し、該画像識別モジュール４は撮影レンズ４１と光線照射器４２を備える。しかも該撮影レンズ４１は該上蓋１２の防塵蓋１２４上方に設置可能で、該光線照射器４２は該撮影レンズ４１の両側にそれぞれ設置する。
該光線照射器４２の発光部品４２１前端にはレンズ４２２を設置し、しかも該発光部品４２１は該レンズ４２２により光を導引され、該撮影レンズ４１が照射しようとする位置には光線照射範囲を形成する。これにより該撮影レンズ４１は写真付証明書上の画像をはっきりと撮影することができる。
【００１２】
上記構成部品の組み立て時には、先ず該上蓋１２を該底台１１上方に設置し、該上蓋１２にある角度の回転を行わせる。これにより、該上蓋１２の軸部１２１の扁平面１２１１は該軸孔１１１上方の断面槽１１２に対照し、こうして該軸部１２１は該断面槽１１２に従い、対応する軸孔１１１内に円滑に嵌入される。この後、該軸部１２１の円弧面１２１２により該軸孔１１１内で回転可能となり、該軸部１２１と該軸孔１１１の構造設計により、該上蓋１２は該底台１１前側においてある角度の回転を行うことができる。
【００１３】
該上蓋１２が該底台１１表面に蓋合する時、該上蓋１２の係合フック１２３により該対応する底台１１の係合槽１１３内において係合定位し、こうして該上蓋１２は回転できなくなる。
もし該上蓋１２を回転させる必要がある時には、該上蓋１２両側の転動部１２２を押せば、該転動部１２２は内側に向かい相対移動し、該係合フック１２３を連動し、該係合槽１１３外へと離脱する。こうして該上蓋１２を上方へと回転させ、内部の伝送モジュール１４、写真付証明書識別モジュール２、文字識別モジュール３、画像識別モジュール４に対して清掃、或いはメンテナンスを行うことができる。
該上蓋１２が該底台１１表面に蓋合後、該上蓋１２底面と該底台１１表面間には通道１０を形成する。写真付証明書が該写真付証明書識別装置１に進入後、該伝送モジュール１４の回転ホイール組１４１により該写真付証明書を連動し、該通道１０を通過させ、該写真付証明書上方の触圧ホイール組１４２により各種写真付証明書の厚みに応じて、その写真付証明書の通過間隔距離を自由に調整し、写真付証明書の前進を確実に連動する。
【００１４】
該写真付証明書識別装置１の使用が頻繁、或いは長期間使用後は、該各写真付証明書識別モジュール２、字識別モジュール３、画像識別モジュール４の部品表面には大量のほこり、ガム、或いは他の汚れが付着し汚れてしまう。
該伝送モジュール１４の回転ホイール組１４１も長期間にわたり写真付証明書を連動していると、該回転ホイール組１４１表面には多くの汚れが付着し、伝導不良を引き起こし、写真付証明書にしわを寄らせ、ひどい時には該通道１０内に詰まってしまう。仮に、各写真付証明書識別モジュール２、字識別モジュール３、画像識別モジュール４の部品がよごれ感度が落ちると、写真付証明書の識別率の低下を招き、さらには正常な作動が不能となってしまう。
よって作業人員がメンテナンスを行う時には、先ずは自動販売機を開き、該写真付証明書識別装置１の上蓋１２を該底台１１上から直接取外す。
その取り外し方式は以下の通りである。該上蓋１２の転動部１２２を押し内側に向けて移動させ、これにより該転動部１２２表面の係合フック１２３は該底台１１の対応係合槽１１３から離脱する。こうして該上蓋１２はある角度開き、さらに該上蓋１２底面と該底台１１表面は露出し、メンテナンス人員は該伝送モジュール１４及び各識別装置に対して清掃、メンテナンス作業を行うことができる。
必要時には、該軸部１２１、軸孔１１１の構造設計により、該上蓋１２を該底台１１上より取り外し、さらに丁寧な清掃メンテナンス作業を行うこともできる。
【００１５】
本考案最適実施例の立体組合せ図、写真付証明書挿入前の動作断面指示図、写真付証明書挿入時の動作断面指示図、写真付証明書挿入後の動作断面指示図である図２、５、６、７に示すように、本考案の写真付証明書識別装置１は主に一般の自動販売機内に設置し、こうして、消費者は写真付証明書を挿入し識別を行うことができる。
使用時には、消費者は先ず写真付証明書を該写真付証明書識別装置１の開口１３から挿入する。写真付証明書が該伝送モジュール１４の起動装置１４４を遮蔽すると、該モーター１４３を駆動し、該回転ホイール組１４１の正方向への回転を連動し写真付証明書を吸入することができる。
該写真付証明書が該電源モジュール１５を遮蔽すると、該電源モジュール１５は電源を該写真付証明書識別モジュール２、該文字識別モジュール３、該画像識別モジュール４に提供し作動を開始する。この時、該写真付証明書識別モジュール２は該挿入写真付証明書の真偽の検証を解する。
【００１６】
本考案最適実施例の立体組合せ図である図２、伝送モジュールの立体外観図である図４、写真付証明書識別モジュールが写真付証明書の真偽を検証する局断面指示図である図８に示すように、該写真付証明書識別モジュール２の検証方式には以下の２種がある。
先ず１種は、該写真付証明書識別モジュール２の第一光センサー２１により、該写真付証明書上の偽造防止特徴を検証する。該第一光発射部品２１１は赤外線を発射し該写真付証明書の偽造防止特徴上に照射し、該第一光感知部品２１２により該光線波形を受け取る。しかも該第一感知部品２１２は該受け取った光線を波形図データに描き、所定値と比較対照する。さらに、処理手順（OP）を経由し識別を行い、こうして写真付証明書上の透かし、スチールシール、隠しバーコード、或いはレーザータグなどの特殊標記である偽造防止特徴に対して照射を行い、写真付証明書が所定値の正確な特殊標記に符合するか否かを識別する。
【００１７】
もう１種は、該第二光センサー２２により写真付証明書の紙質、厚みを検証し、該写真付証明書上の生年月日区域に対して照射を行う方式である。該第二発射部品２２１が発射する赤外線は、写真付証明書上の生年月日区域を透過し、該透過光を該第二光感知部品２２２により受け取る。透過率の識別を通して、該写真付証明書表面が人為的に裁断接着、修正されていないかどうかを判読する。こうして写真付証明書上の偽造防止特徴と厚みの識別は該写真付証明書の真偽をさらに詳しく確認することができる。
上記のように、該写真付証明書識別モジュール２の２種の検証過程を経れば、該写真付証明書の真偽をより詳しく判読可能で、もし写真付証明書が偽造されたもの、或いは人為的に加工されたものであれば、該写真付証明書識別モジュール２は該モーター１４３に反転を通知し、該回転ホイール組１４１の逆回転を駆動し、該写真付証明書を反対方向へと退出させる。
該写真付証明書に問題がないことが確実であるなら、該回転ホイール組１４１は該写真付証明書の前進を継続し、該文字識別モジュール３により該消費者の実際の年齢の識別、確認を開始する。
【００１８】
本考案の文字識別モジュールが写真付証明書の文字を識別する指示図である図９に示すように、写真付証明書の真偽を確認後、該文字識別モジュール３は該写真付証明書の生年月日区域の識別を開始する。
該写真付証明書の前進時において、該文字識別モジュール３の光線照射器３２の発光部品３２１は光線を発射し、該反射鏡３２２により該光線を該写真付証明書上の生年月日区域に照射する。該線性スキャナー３１は該反射鏡３２２が照射する区域を通して、該写真付証明書上の生年月日数字を読み取る。該線性スキャナー３１が生年月日数字を読み取り後、光学文字識別（Optical Character Recognition; OCR）を行い、該線性スキャナー３１が走査した生年月日数字に対して影像文字識別を行い、現在の時間と日時の比較対照を行い、該写真付証明書所持人が法定年齢に符合するか否かを確認する。さらに比較対照或いは識別後のデータを自動販売機に伝送し、こうして関連商品の売買を行うことができる。
【００１９】
上記生年月日の読み取り方式は、該発光部品３２１の写真付証明書上の生年月日区域への照射を利用し、、該生年月日区域上の文字或いは数字と写真付証明書空白表面を比較する。反射光線は生年月日区域上の明暗が異なる表面において異なる反射光特性を示すため、該線性スキャナー３１は反射した光線を走査、読み取り後、光学文字識別を通して、該生年月日区域のデータを読み取る。
上記の文字識別モジュール３は写真付証明書上の生年月日に対して実際年齢の識別を行い、また写真付証明書上の氏名、身分証番号、或いは写真付証明書番号に対して識別を行い、今回の購入者の氏名、生年月日、身分証番号などと購入した商品などの関連データを記録する。これにより、危険性がある規制品を販売した時には、後日のファイル作成或いは走査に有利となる。
該文字識別モジュール３の年齢識別は本考案最適実施例に過ぎず、本考案の申請範囲を制限するものではない。すなわち、写真付証明書上の氏名、身分証番号、或いは写真付証明書番号に対する識別を行うことができる、本考案説明書及び図示内容の簡単な修飾及び同等効果の変化もすべて本考案の申請範囲に含まれる。
【００２０】
本考案画像識別モジュールの撮影時の側面断面指示図である図１０に示すように、該写真付証明書は前進しながら該写真付証明書識別モジュール２と文字識別モジュール３により識別され、最後の画像識別モジュール４に入る。写真付証明書が停止後、該画像識別モジュール４の光線照射器４２は作動を開始し、該光線照射器４２の発光部品４２１は該レンズ４２２により該写真付証明書上の写真区域に照射し、該撮影レンズ４１により写真付証明書上の写真を撮影する。さらに、これを自動販売機内部に設置する画像データベースと比較対照し、或いは自動販売機が接続する外部データベースと比較対照する。自動販売機外部の接続、或いは内蔵データベースの画像との比較対照共に、写真付証明書の所持人に対して身分の確認を行うことができる。
【００２１】
さらに、該写真付証明書識別装置１は写真付証明書に対して真偽の識別、法定年齢の比較対照、或いは所持人の身分を確認する時、もし上記３種の内、１種の比較対照が一致しない時には、該写真付証明書識別装置１は該写真付証明書を退出され今回の取引を終了する。しかも、所持人が自動販売機と写真付証明書の比較対照を完成すると、その取引の成功のいかんにかかわらず、該写真付証明書識別装置１は該写真付証明書上の比較対照されたデータ、例えば、写真付証明書の大きさ、厚み、所持人の生年月日、写真、写真付証明書番号、取引時間、或いは取引商品などの関連データを記録し、後日のファイル作成或いは操作に役立てる。
【００２２】
該伝送モジュール１４のモーター１４３は写真付証明書前進の速度と距離だけを制御する。該モーター１４３は直流モーター、ステップモーターで、或いはラスターを組合せ写真付証明書の伝送速度或いは距離を制御する。
該画像識別モジュール４中で運用する撮影レンズ４１はCCD或いはCMOSである。
該写真付証明書識別モジュール２、該文字識別モジュール３、該画像識別モジュール４が運用する発光部品は異なる波長の透過性光線を発射可能で、青色光或いは緑色光などの可視光線、或いは紫外線などの非可視光線で、すべて写真付証明書上の偽造防止特徴及び照射しようとする区域に対応することができ、こうして写真付証明書の読み取り、識別を行う。この種の構造の簡単な修飾及び同等効果の変化もすべて本考案の申請範囲に含まれる。
【００２３】
本考案を公知技術と比較すると以下の長所が存在する。
1.本考案の写真付証明書識別装置１は設置する文字識別モジュール３により、さらに所持人の年齢を確認することができるため、商店が年齢制限がある商品を販売する時に、写真付証明書所持人が法定年齢に達しているか否かの確認に有効で、タバコ、酒、或いは他の青少年或いは児童の心身の健康に害を及ぼす商品の販売を回避可能で、商店或いは購入者が現地の法規を犯す恐れを払拭する。
2.本考案の写真付証明書識別装置１は設置する写真付証明書識別モジュール２により、写真付証明書上に改造、或いは偽造データが接着されているなど、該写真付証明書上に偽造資料がないかどうかを識別し、さらに透かし、スチールシール、隠しバーコード、或いはレーザータグなどの特殊標記である該写真付証明書の偽造防止特徴を識別し、こうして該写真付証明書識別モジュール２により確認し、該所持人の写真付証明書データを追跡し、犯罪者の自動販売機を通じたマネーロンダリングを杜絶する。
3.写真付証明書所持人の年齢及び写真付証明書真偽の識別を確認後、写真付証明書識別装置１は画像識別モジュール４を通して該写真付証明書上の写真を読み取り、予め設置するデータベースと比較対照し、消費者が真実の写真付証明書所持人であるかどうかを確認し、単一写真付証明書が多人数に乱用されることを防止する。
4.自動販売機が各種薬品或いは他の危険性を備える規制品を販売する場合には、該写真付証明書識別装置１により該写真付証明書所持人の生年月日、氏名、身分証番号、写真、写真付証明書番号、取引時間、或いは取引商品などの関連データを記録することができ、後日のファイル作成及び捜査の便を図る。またこれにより、商店或いは販売者が該規制品を販売することで、他人に脅威や傷害を与えることがないよう保護する。さらに、長期服用が必要な慢性疾患の薬物を特定の患者に販売することができるようにし、患者は病院に行って順番をつかなくても薬を入手可能となる。さらに、現代社会では広く設置されているモニターカメラによる撮影に、写真付証明書関連データを記録する自動販売機を組合せることで、犯罪発生時間及び残っている可能性のある手がかりを提供可能となり、これにより警察は十分な捜査網を張ることができ、犯罪率上昇を効果的に止めることができる。
5.メンテナンス人員が該写真付証明書識別装置１をメンテナンスする時には、該人員は該上蓋１２両側の転動部１２２を直接押し、該転動部１２２外側表面の係合フック１２３を該底台１１の対応係合槽１１３外に離脱させ、これによりメンテナンス人員は該上蓋１２をめくり上げ、簡単かつ迅速に該上蓋１２底面と該底台１１表面の伝送モジュール１４或いは該各識別装置に対して清掃、メンテナンス、或いは故障排除作業を行うことができ、工具を用いずに達成することができる。こうして操作が便利で簡単、しかもメンテナンス、清掃が迅速という効果を達成可能で、メンテナンス或いは清掃の難易度と時間を大幅に低下させることができる。
6.該文字識別モジュール３が写真付証明書所持人の実際の年齢を識別後、該所持人の生年月日が現在の購入日時と一致するかどうかを確認し、もし一致するなら、誕生日プレゼントを贈るメカニズムを組合せ、自動販売機は当日が誕生日である消費者にプレゼントを贈ることができる。こうして自動販売機は人間的になり、消費者に親近感を持たせることができ、消費意欲を刺激することができる。
【００２４】
本考案は主に自動販売機内に設置する写真付証明書識別装置１に対して、写真付証明書識別モジュール２、文字識別モジュール３、画像識別モジュール４により、消費者の写真付証明書に対して識別、比較対照を行うことを主要な保護の重点とする。これにより、該写真付証明書識別モジュール２は該写真付証明書の真偽を識別し、該文字識別モジュール３は該所持人の生年月日、氏名、身分証番号などを識別し、未成年或いは児童がタバコ、酒、或いは年齢制限のある商品を購入しないよう制限し、該画像識別モジュール４は該写真付証明書上の写真を読み取り、自動販売機に内蔵するデータベース或いはリモートエンドのデータベースと比較対照し、該所持人が本人であるかどうかをさらに詳細に判読することができる。また上記の識別データ及び取引データを保存し、後日のファイル作成或いは操作に提供することができる。
上記写真付証明書識別装置１の自動販売機における運用は本考案の最適実施例に過ぎず、両替機、ATM、カード販売機、或いは他の自動販売機に運用可能である。本考案の製品と領域を脱しない範囲内で各種の変動や潤色を加えることができ、したがって本考案の保護範囲は、特許請求の範囲で指定した内容を基準とする。
【図面の簡単な説明】
【００２５】
【図１】本考案最適実施例の立体分解図である。
【図２】本考案最適実施例の立体組合せ図である。
【図３】本考案最適実施例の立体外観図である。
【図４】本考案伝送モジュールの立体外観図である。
【図５】本考案の写真付証明書挿入前における動作断面指示図である。
【図６】本考案の写真付証明書挿入時における動作断面指示図である。
【図７】本考案の写真付証明書挿入後における動作断面指示図である。
【図８】本考案写真付証明書識別モジュールが写真付証明書の真偽をチェックする局部指示図である。
【図９】本考案文字識別モジュールが写真付証明書の文字を識別する局部指示図である。
【図１０】本考案画像識別モジュールの撮影時の側面断面指示図である。
【符号の説明】
【００２６】
１  写真付証明書識別装置
１０  通道
１１  底台
１１１  軸孔
１２３  係合フック
１２４  防塵蓋
１３  開口
１１２  断面槽
１１３  係合槽
１２  上蓋
１２１  軸部
１２１１  扁平面
１２１２  円弧面
１２２  転動部
１４  伝送モジュール
１４１  回転ホイール組
１４２  接触圧ホイール組
１４３  モーター
１４４  起動装置
１５  電源モジュール
２  写真付証明書識別モジュール
２１  第一光センサー
２１１  第一光発射部品
２１２  第一光感知部品
２２  第二光センサー
２２１  第二光発射部品
２２２  第二光感知部品
３  文字識別モジュール
３１  線性スキャナー
３２  光線照射器
３２１  発光部品
３２２  反射鏡
４  画像識別モジュール
４１  撮影レンズ
４２  光線照射器
４２１  発光部品
４２２  レンズ
５  写真付証明書
【図１】
0003132576.tif 000003
【図２】
0003132576.tif 000004
【図３】
0003132576.tif 000005
【図４】
0003132576.tif 000006
【図５】
0003132576.tif 000007
【図６】
0003132576.tif 000008
【図７】
0003132576.tif 000009
【図８】
0003132576.tif 000010
【図９】
0003132576.tif 000011
【図１０】
0003132576.tif 000012